(57)【要約】【課題】ハウジング内への浸水を確実に防止でき、かつ被覆電線とフラットケーブル外周での浸水防止のため同一シール材で対応できる防水コネクタを提供する。【解決手段】ハウジングの後端に装着されるリアホルダ４と、このリアホルダ４により保持され、配線材の外周を密封するシール材６とを備え、配線材の中心を境にリアホルダ４及びシール材６を上下に２分割すると共に、分割したホルダ部材４ａ及びシール部材６ａと、ホルダ部材４ｂ及びシール部材６ｂとをそれぞれ一体に形成し、シール部材６ａ、６ｂの分割面の側に、被覆電線を受け入れる被覆線凹部９ａ，９ｂ及びフラットケーブルを受け入れるフラット線凹部１０ａ，１０ｂを設けると共に、これら被覆線凹部９ａ，９ｂ及びフラット線凹部１０ａ，１０ｂを端子挿入方向に沿って併設配置した。【選択図】図２
2010055930.tif 000002
【特許請求の範囲】
【請求項１】
端子を収容する端子収容室を内蔵するハウジングと、このハウジングの端子挿入方向の後端側に装着されるリアホルダと、このリアホルダにより保持され、前記端子と接続される配線材の外周とを密封するシール材とを備えた防水コネクタであって、
前記リアホルダが前記配線材の中心線を境に端子挿入方向に沿って第１ホルダ部材と、第２ホルダ部材とに２分割され、
前記シール材が前記配線材の中心線を境に端子挿入方向に沿って第１シール部材と第２シール部材とに２分割され、
半円状断面を有し被覆電線を受け入れる被覆線凹部と、
矩形状断面を有しフラットケーブルを受け入れるフラット線凹部とを
前記第１シール部材及び前記第２シール部材の分割面の側に、前記端子挿入方向に沿って併設配置したことを特徴とする防水コネクタ。
【請求項２】
請求項１記載の防水コネクタであって、
前記リアホルダの後端部に、前記被覆電線の外形形状に沿った凹部からなる被覆線規制部と、前記フラットケーブルの外形形状に沿った凹部からなるフラット線規制部とを設けたことを特徴とする防水コネクタ。
【発明の詳細な説明】
【技術分野】
【０００１】
本発明は、自動車等に使用される防水コネクタに係り、ハウジング内の端子に接続される配線材の外周をシール材で密封することによりハウジング内への浸水を防止する防水コネクタに関する。
【背景技術】
【０００２】
この種の従来の防水コネクタとして、特許文献１に開示されたものがある。この防水コネクタ１００は、図１１に示すように、ハウジング１０１と、ハウジング１０１にヒンジ１０２を介して接続されるカバー１０３と、これらのハウジング１０１及びカバー１０３により挟まれるフラットケーブル１０４と、弾性材からなり、フラットケーブル１０４の外周を密封するシール材１０５とを備えている。
【０００３】
上記構成によれば、ハウジング１０１内にフラットケーブル１０４の一端を挿入してフラットケーブル１０４の外周にシール材１０５を装着した後、ハウジング１０１及びカバー１０３により挟圧することにより、シール材１０５が弾性変形してフラットケーブル１０４の外周を密封するので、フラットケーブル１０４の外周を介してハウジング１０１内に浸水することを防止できる。
【０００４】
また、この種の従来技術に関連するものとして、特許文献２に開示されたフラットケーブルと電線の接続構造がある。この従来の接続構造１１０は、図１２に示すように、円形状断面を有する一般的な被覆電線１１１の外周に装着されるシール材１１２と、フラットケーブル１１３の外周に装着される他のシール材１１４を有し、これらの被覆電線１１１及びフラットケーブル１１３の接続部分が絶縁樹脂１１５でモールドされている。
【０００５】
上記構成によれば、被覆電線１１１及びフラットケーブル１１３の接続部分を絶縁樹脂１１５でモールドすることにより、シール材１１２，１１４がそれぞれ弾性圧縮されて被覆電線１１１及びフラットケーブル１１３の各外周を密封するので、被覆電線１１１及びフラットケーブル１１３の接続部分に水が浸入することを防止できる。
【０００６】
さらに他の従来例として、図１３に示すように、ハウジング１２１後端にシール材１２２及びリアグリッド１２３を順次装着し、並設した複数本の被覆電線１２４の外周をシール材１２２で密封するものも挙げられる。
【０００７】
上記構成によれば、並設した複数本の被覆電線１２４の外周をそれぞれシール材１２２で密封するので、被覆電線１２４の外周を介してハウジング１２１内に浸水することを防止することができる。
【特許文献１】特開２００２−２５６８６号公報
【特許文献２】特開２０００−３４８７９１号公報
【発明の開示】
【発明が解決しようとする課題】
【０００８】
しかしながら、特許文献１の防水コネクタ１００にあっては、配線材のうち、特に、フラットケーブル１０４の外周をシール材１０５で密封して防水性を確保するのに有効である。
【０００９】
また、特許文献２の接続構造１１０にあっては、被覆電線１１１及びフラットケーブル１１３を互いに接続する場合に適用することができるが、被覆電線及びフラットケーブルを共用してハウジング内の端子に接続する場合には対応できないという問題がある。
【００１０】
また、図１３に示す他の従来例では、被覆電線１２４の外周とリアグリッド１２３の内周との間にかなりの隙間があるので、図１３（ｂ）に示すように、被覆電線１２４が横方向へ屈曲された場合、被覆電線１２４がリアグリッド１２３内で移動してシール材１２２を押圧して弾性変形させる結果、被覆電線１２４及びシール材１２２間に隙間Ｇが生じるので、この隙間Ｇを介してハウジング１２１内に浸水するおそれがあり、防水性が損なわれるという問題がある。同様に、振動などにより被覆電線１２４の取付位置がずれてシール材１２２との間に隙間が生じやすい。
【００１１】
そこで、本発明は、前記した課題を解決すべくなされたものであり、ハウジング内への浸水を確実に防止できると共に、断面形状の異なる被覆電線及びフラットケーブルの外周における浸水防止のために同一のシール材で対応することができる防水コネクタを提供することを目的とする。
【課題を解決するための手段】
【００１２】
請求項１の発明は、端子を収容する端子収容室を内蔵するハウジングと、このハウジングの端子挿入方向の後端側に装着されるリアホルダと、このリアホルダにより保持され、前記端子と接続される配線材の外周とを密封するシール材とを備えた防水コネクタであって、前記リアホルダが前記配線材の中心線を境に端子挿入方向に沿って第１ホルダ部材と、第２ホルダ部材とに２分割され、前記シール材が前記配線材の中心線を境に端子挿入方向に沿って第１シール部材と第２シール部材とに２分割され、半円状断面を有し被覆電線を受け入れる被覆線凹部と、矩形状断面を有しフラットケーブルを受け入れるフラット線凹部とを前記第１シール部材及び前記第２シール部材の分割面の側に、前記端子挿入方向に沿って併設配置したことを特徴とする。
【００１３】
請求項２の発明は、請求項１記載の防水コネクタであって、前記リアホルダの後端部に、前記被覆電線の外形形状に沿った凹部からなる被覆線規制部と、前記フラットケーブルの外形形状に沿った凹部からなるフラット線規制部とを設けたことを特徴とする。
【発明の効果】
【００１４】
請求項１の発明によれば、分割した一対のシール部材に設けられる半円状断面の被覆線凹部と矩形状断面のフラット線凹部とより被覆電線及びフラットケーブルの各外周を密封可能であるので、これらの断面形状の異なる被覆電線及びフラットケーブルの外周における浸水防止のために同一の上記シール部材で対応できると共に、被覆電線及びフラットケーブルを弾性的に挟圧して被覆電線の外周を密封するので、ハウジング内への浸水を確実に防止できる。
【００１５】
請求項２の発明によれば、振動などにより被覆電線及びフラットケーブルの取付位置がずれてシール部材との間に隙間が生じることを抑制できると共に、一対のホルダ部材の後端から突出する被覆電線及びフラットケーブルが延伸方向と垂直な方向へ外力が掛かった場合でも被覆電線及びフラットケーブルの屈曲動作を規制してシール部材の間に隙間が生じることを抑制できるので、被覆電線及びフラットケーブルの外周における防水性を高めて、ハウジング内への浸水をより確実に防止できる。
【発明を実施するための最良の形態】
【００１６】
以下、本発明の一実施形態を図面に基づいて説明する。図１〜図１０は本発明の一実施形態を示し、図１は防水コネクタの分解斜視図、図２はリアホルダ及びシール材の分割状態を示す斜視図、図３はリアホルダ及びシール材の組立状態を示す断面図、図４は図３の矢印Ｂの方向から見た背面図、図５は被覆電線を接続した防水コネクタの組立斜視図、図６は被覆電線を挟むリアホルダ及びシール材の組立状態を示す断面図、図７は図６の矢印Ｃの方向から見た背面図、図８はフラットケーブルを接続した防水コネクタの組立斜視図、図９はフラットケーブルを挟むリアホルダ及びシール材の組立状態を示す断面図、図１０は図９の矢印Ｄの方向から見た背面図である。
【００１７】
本願の防水コネクタ１は、図１〜図１０に示すように、端子（図示せず）を収容する端子収容室２を内蔵するハウジング３と、このハウジング３の端子挿入方向（図１の矢印方向）の後端側に装着される樹脂製のリアホルダ４と、このリアホルダ４により保持され、前記端子と接続される配線材５の外周を密封する弾性シール材としてのマットシール６とを備えている。配線材５としては、円形状断面を有する一般的な被覆電線７、及びフラットケーブル８が接続可能であり、フラットケーブル８は、ＦＦＣ（Ｆｌｅｘｉｂｌｅ・Ｆｌａｔ・Ｃａｂｌｅ）またはＦＰＣ（Ｆｌｅｘｉｂｌｅ・Ｐｒｉｎｔ・Ｃｉｒｃｕｉｔ）である。
【００１８】
リアホルダ４及びマットシール６は、それぞれ配線材５の中心線Ｌを境に端子挿入方向に沿って上下にそれぞれ第１ホルダ部材４ａ及び第２ホルダ部材４ｂと、第１シール部材６ａ及び第２シール部材６ｂとに２分割されると共に、これら分割した第１ホルダ部材４ａと第２ホルダ部材４ｂとはヒンジ部４ｃを介して一体に形成されている。
【００１９】
一対のシール部材６ａ，６ｂは、それぞれ略平板状の弾性部材から形成されている。シール部材６ａ，６ｂの分割面の側には、２本並設され、それぞれ端子挿入方向に延びる半円状断面の被覆線凹部９ａ，９ｂと、これら被覆線凹部９ａ，９ｂにそれぞれ連通し、幅方向に延びる矩形状断面のフラット線凹部１０ａ，１０ｂとが設けられると共に、これら被覆線凹部９ａ，９ｂ及びフラット線凹部１０ａ，１０ｂは、それぞれ端子挿入方向の後端側、前端側に配置されている。シール部材６ａ，６ｂの分割面を対向させた状態で互いに組み合わせて内部にできる空間は、被覆電線７の外径およびフラットケーブル８の高さ及び幅寸法よりも僅かに小さく設定されている。これにより、シール部材６ａ，６ｂの分割面を対向させた状態で互いに組み合わせて、被覆線凹部９ａ，９ｂに２本の被覆電線７を受け入れることにより被覆電線７の外周をシール部材６ａ，６ｂで密封可能であると共に、フラット線凹部１０ａ，１０ｂにフラットケーブル８を受け入れることによりフラットケーブル８の外周を密封可能である。なお、上記のようにシール部材６ａ，６ｂの被覆線凹部９ａ，９ｂに２本の被覆電線７を受け入れたとき、シール部材６ａ，６ｂの前端側は被覆電線７で押圧されるので弾性変形する。同様に、上記のようにシール部材６ａ，６ｂのフラット線凹部１０ａ，１０ｂにフラットケーブル８を受け入れたとき、シール部材６ａ，６ｂの後端側はフラットケーブル８で押圧されるので弾性変形する。
【００２０】
一対のホルダ部材４ａ，４ｂは、一体に設けられるヒンジ部４ｃにより互いに連結されており、このヒンジ部４ｃが撓むことにより、第２ホルダ部材４ｂが図２の矢印Ａで示す方向に１８０度回動して、各分割面が対向する状態で第１ホルダ部材４ａに対して組み付け可能である。第２ホルダ部材４ｂは、ヒンジ部４ｃと逆方向へ突出する突起４ｄを備え、第１ホルダ部材４ａは、ホルダ部材４ａ，４ｂを互いに組み合わせたときに突起４ｄに係止される係止部４ｅを備えている。ホルダ部材４ａ，４ｂの端子挿入方向の後端部には、被覆電線７及びフラットケーブル８が貫通する貫通孔１１が設けられ、この貫通孔１１の縁部により、被覆電線７の位置を規制する被覆線規制部１２、及びフラットケーブル８の位置を規制するフラット線規制部１３が構成されている。被覆線規制部１２は被覆電線７の外形形状に沿って円形状断面を有し、その径は被覆電線７の外径よりわずかに大きく設定され、一方、フラット線規制部１３はフラットケーブル８の外形形状に沿って矩形状断面を有し、その高さ及び幅寸法はフラットケーブル８の高さ及び幅寸法よりわずかに大きく設定されている。
【００２１】
上記構成において、図５〜図７に示すように、２本並設される被覆電線７が用いられる場合、一対のホルダ部材４ａ、４ｂ及びシール部材６ａ、６ｂを分割した状態で、第１ホルダ部材４ａをハウジング３の後端に装着した後、第１ホルダ部材４ａの被覆線規制部１２で２本の被覆電線７の位置を規制して位置決めを行なうと共に、各被覆電線７の下半分を第１シール部材６ａの凹部９ａに受け入れる。次いで、第２ホルダ部材４ｂを図２の矢印Ａで示す方向に回動して、各分割面が互いに対向する状態で第１ホルダ部材４ａに対して組み付けると、第２ホルダ部材４ｂの係止部４ｅが第１ホルダ部材４ａの突起４ｄに係止される。その結果、一対のホルダ部材４ａ，４ｂが互いに組み合う状態でシール部材６ａ、６ｂが保持されると共に、第２シール部材６ｂの凹部９ｂに２本の被覆電線７の上半分が受け入れられるので、一対のシール部材６ａ、６ｂで２本の被覆電線７がそれぞれ弾性的に挟圧されて被覆電線７の外周が密封される。
【００２２】
このとき、一対のホルダ部材４ａ、４ｂの被覆線規制部１２で２本の被覆電線７の位置を規制して位置決めを行なうので、振動などにより被覆電線７の取付位置がずれてシール部材６ａ，６ｂとの間に隙間が生じることを抑制できる。また、一対のホルダ部材４ａ、４ｂの後端から突出する被覆電線７が延伸方向と垂直な方向へ外力が掛かった場合、ホルダ部材４ａ，４ｂの被覆線規制部１２と被覆電線７との隙間が比較的小さく、被覆電線７が被覆線規制部１２に当接することにより被覆電線７の屈曲動作が規制されるので、この場合もシール部材６ａ，６ｂとの間に隙間が生じることを抑制できる。
【００２３】
また、図８〜図１０に示すように、フラットケーブル８が用いられる場合、一対のホルダ部材４ａ、４ｂ及びシール部材６ａ、６ｂを分割した状態で、第１ホルダ部材４ａをハウジング３の後端に装着した後、第１ホルダ部材４ａのフラット線規制部１３でフラットケーブル８の位置を規制して位置決めを行なうと共に、第１シール部材６ａの凹部１０ａにフラットケーブル８の下半分を受け入れる。次いで、第２ホルダ部材４ｂを図２の矢印Ａで示す方向に回動して、各分割面が互いに対向する状態で第１ホルダ部材４ａに対して組み付けると、第２ホルダ部材４ｂの係止部４ｅが第１ホルダ部材４ａの突起４ｄに係止される。その結果、一対のホルダ部材４ａ，４ｂが互いに組み合う状態でシール部材６ａ、６ｂが保持されると共に、第２シール部材６ｂの凹部１０ｂにフラットケーブル８の上半分が受け入れられるので、一対のシール部材６ａ、６ｂでフラットケーブル８がそれぞれ弾性的に挟圧されフラットケーブル８の外周が密封される。
【００２４】
このとき、一対のホルダ部材４ａ，４ｂのフラット線規制部１３でフラットケーブル８の位置を規制して位置決めを行なうので、振動などによりフラットケーブル８の取付位置がずれてシール部材６ａ，６ｂとの間に隙間が生じることを抑制できる。また、一対のホルダ部材４ａ、４ｂの後端から突出するフラットケーブル８が延伸方向と垂直な方向へ外力が掛かった場合、ホルダ部材４ａ，４ｂのフラット線規制部１３とフラットケーブル８との隙間が比較的小さく、フラットケーブル８がフラット線規制部１３に当接することによりフラットケーブル８の屈曲動作が規制されるので、この場合もシール部材６ａ，６ｂとの間に隙間が生じることを抑制できる。
【００２５】
上記構成によれば、分割した一対のシール部材６ａ、６ｂに設けられる半円状断面の被覆線凹部９ａ，９ｂと矩形状断面のフラット線凹部１０ａ，１０ｂとより被覆電線７及びフラットケーブル８の各外周を密封可能であるので、これらの断面形状の異なる被覆電線７及びフラットケーブル８の外周における浸水防止のために同一の上記シール部材６ａ、６ｂで対応することができる。
【００２６】
また、上記構成によれば、被覆電線７及びフラットケーブル８を弾性的に挟圧して被覆電線７の外周を密封することにより、ハウジング３内への浸水を確実に防止できる。また、振動などにより被覆電線７及びフラットケーブル８の取付位置がずれてシール部材６ａ，６ｂとの間に隙間が生じることを抑制できると共に、一対のホルダ部材４ａ、４ｂの後端から突出する被覆電線７及びフラットケーブル８が延伸方向と垂直な方向へ外力が掛かった場合でも被覆電線７及びフラットケーブル８の屈曲動作を規制してシール部材６ａ，６ｂとの間に隙間が生じることを抑制できるので、被覆電線７及びフラットケーブル８の外周における防水性を高めて、ハウジング３内への浸水をより確実に防止できる。
【図面の簡単な説明】
【００２７】
【図１】本発明の一実施形態を示し、防水コネクタの分解斜視図である。
【図２】本発明の一実施形態を示し、リアホルダ及びシール材の分割状態を示す斜視図である。
【図３】本発明の一実施形態を示し、リアホルダ及びシール材の組立状態を示す断面図である。
【図４】本発明の一実施形態を示し、図３の矢印Ｂの方向から見た背面図である。
【図５】本発明の一実施形態を示し、被覆電線を接続した防水コネクタの組立斜視図である。
【図６】本発明の一実施形態を示し、被覆電線を挟むリアホルダ及びシール材の組立状態を示す断面図である。
【図７】本発明の一実施形態を示し、図６の矢印Ｃの方向から見た背面図である。
【図８】本発明の一実施形態を示し、フラットケーブルを接続した防水コネクタの組立斜視図である。
【図９】本発明の一実施形態を示し、フラットケーブルを挟むリアホルダ及びシール材の組立状態を示す断面図である。
【図１０】本発明の一実施形態を示し、図９の矢印Ｄの方向から見た背面図である。
【図１１】従来例の防水コネクタを示す分解斜視図である。
【図１２】フラットケーブルと電線の接続構造を示す断面図である。
【図１３】他の従来例の防水コネクタを示す断面図で、（ａ）は２本の被覆電線の取付状態を示す断面図、（ｂ）は１本の被覆電線が屈曲された状態を示す断面図である。
【符号の説明】
【００２８】
１…防水コネクタ
２…端子収容室
３…ハウジング
４…リアホルダ
４ａ…第１ホルダ部材
４ｂ…第２ホルダ部材
５…配線材
６…マットシール（シール材）
６ａ…第１シール部材
６ｂ…第２シール部材
７…被覆電線（配線材）
８…フラットケーブル（配線材）
９ａ，９ｂ…被覆線凹部
１０ａ，１０ｂ…フラット線凹部
１２…被覆線規制部
１３…フラット線規制部
【図１】
2010055930.tif 000003
【図２】
2010055930.tif 000004
【図３】
2010055930.tif 000005
【図４】
2010055930.tif 000006
【図５】
2010055930.tif 000007
【図６】
2010055930.tif 000008
【図７】
2010055930.tif 000009
【図８】
2010055930.tif 000010
【図９】
2010055930.tif 000011
【図１０】
2010055930.tif 000012
【図１１】
2010055930.tif 000013
【図１２】
2010055930.tif 000014
【図１３】
2010055930.tif 000015